(57)【要約】      （修正有）【課題】輸送中に想定される衝撃から積載物の移動を防ぎ、積載物がコンテナ内壁に衝突して積載物やコンテナ本体若しくはその両方に損傷を及ぼすことを防止できる固定具を提供する。【解決手段】リーファーコンテナなどの冷蔵設備を有する荷箱内の床部に設置し、積載物を固定する積載物固定具であって、積載物９に接触させて動きを制限する本体１と本体をねじ締結によってコンテナ床部７に固定するねじ締結部を備え、本体は積載物の垂直面に接触させる垂直板部とコンテナ床部にねじ締結部によって固定される底板部から形成され、ねじ締結部は把持部、押圧部３を有する雄ネジ部２と鉄製プレートを有する雌ねじ部６が組み合わされたものであり、本体の底板部には、Ｕ字状の切れ込みを設けたことを特徴とする。【選択図】図３
0003226782.tif 000002
【実用新案登録請求の範囲】
【請求項１】
リーファーコンテナなどの冷蔵設備を有する荷箱内の床部に設置し、積載物を固定する積載物固定具であって、積載物に接触させて動きを制限する本体部と本体部をねじ締結によってコンテナ床部に固定するねじ締結部を備え、本体部は積載物の垂直面に接触させる垂直板部とコンテナ床部にねじ締結部によって固定される底板部から形成されたものであり、ねじ締結部は把持部、押圧部を有する雄ネジ部と鉄製プレートを有する雌ねじ部が組み合わされたものであり、前記本体の底板部には、Ｕ字状の切れ込みを設けたことを特徴とする積載物固定具。
【請求項２】
前記本体の底板部にはコンテナ床部に接触する面にゴムが装着された請求項１に記載の積載物固定具。
【請求項３】
前記垂直板部と前記底板部とはほぼ直角の請求項１〜２に記載の積載物固定具。
【考案の詳細な説明】
【技術分野】
【０００１】  本考案は、リーファーコンテナなどの荷箱内に積載物を固定する手段が不十分若しくは無い場合において、荷箱内で積載物を固定する固定具に関するものである。
【背景技術】
【０００２】  従来より、生鮮食品、冷凍食品、生花、化学品、医薬品、電子部品、美術品などの輸送のためのコンテナとしてリーファーコンテナが使用されているが、コンテナの機能上、コンテナ内の構造はアルミ製の壁で覆われており、積載物を固定する器具が装備されていないものがほとんどである。【０００３】  コンテナ内の床部は、アルミ合金製の押し出し成型された床材によって形成されている。この床材は断面がＴ字形状でＴレールとも呼ばれ、複数のＴレールが等間隔で平行にコンテナの前後方向に延びており、冷気の循環通路を形成している。【０００４】  前記コンテナ内構造のため、木材などをコンテナの床部に釘打ちして固定したり、ロープ等を取って固縛する支点も無いことから、コンテナ内左右側壁に突っ張り棒のようなものを当てるなどして積載物を固定している。
【考案の概要】
【考案が解決しようとする課題】
【０００５】  前記突っ張り棒のような簡易的な固定方法では、輸送中に想定される衝撃から積載物の移動を防ぐことは難しく、その結果積載物の移動によりコンテナ内壁に衝突し、積載物やコンテナ本体若しくはその両方に損傷を及ぼす恐れがある。本考案は、簡単に必要な固定具をコンテナの床部に確保でき、前述の欠点を解決しようとするものである。
【課題を解決するための手段】
【０００６】  本考案は、リーファーコンテナなどの冷蔵設備を有する荷箱内の床部に設置し、積載物を固定する積載物固定具であって、積載物に接触させて動きを制限する本体部と本体部をねじ締結によってコンテナ床部に固定するねじ締結部を備え、本体部は積載物の垂直面に接触させる垂直板部とコンテナ床部にねじ締結部によって固定される底板部から形成されたものであり、ねじ締結部は把持部、押圧部を有する雄ネジ部と鉄製プレートを有する雌ねじ部が組み合わされたものであり、前記本体の底板部には、Ｕ字状の切れ込みを設けたことを特徴とする積載物固定具である。
さらに、前記本体の底板部にはコンテナ床部に接触する面にゴムが装着された積載物固定具であり、また前記垂直板部と前記底板部とはほぼ直角である積載物固定具である。
【考案の効果】
【０００７】  本考案の固定具は、積載物の垂直面に垂直板部を接触させ、底板部をコンテナ床部にねじ締結部で固定する。この固定する位置により、輸送中の車輛の進行方向に対して前後、左右方向へ発生する外力から積載物の移動を防止することが出来、結果として積載物がコンテナ内壁と衝突して発生する損傷を防ぐことが出来る。
【図面の簡単な説明】
【０００８】
【図１】一般的な冷蔵・冷凍コンテナ及び積載物積み付け図。
【図２】本考案に係る積載物固定具が用いられる一般的な冷蔵・冷凍コンテナの床部断面図。
【図３】積載物固定具によリ車輛進行方向の力を防止するための固定状態を示す側面図。
【図４】図３の固定状態の後方図。
【図５】車輛前後方向に対し、積載物を側面から固定した場合の側面図。
【図６ａ】積載物固定具本体部平面図。
【図６ｂ】積載物固定具本体部側面図。
【図７ａ】ねじ締結部雌ねじ部材ナット付きプレート平面図。
【図７ｂ】ねじ締結部雌ねじ部材ナット付きプレート側面図。
【図８】ねじ締結部全体図。
【考案を実施するための形態】
【０００９】積載物固定具は、図６ａ及び図６ｂで示すように積載物の垂直面に接する垂直板部と図１及び図２で示すコンテナの床部７に、図８で示すねじ締結部によって固定される底板部がほぼ直角に形成されたＬ字状の形状となっている。また、固定力を向上させるため、底板部のコンテナ床部７に接する底板部裏面にはゴムを装着しており、これによって、ねじ締結部によってコンテナ床部に固定された本固定具は積載物の移動を防止することが出来る。
【００１０】  コンテナ床部は、コンテナ戸口から車輛前方である奥に向かって平行に延びる複数の床部と溝部で形成されており、この溝部に、固定具のねじ締結部プレート付き雌ねじ部をはめ込み、雄ネジ押圧部と当該プレート付き雌ねじ部との間にコンテナ床部及び固定具本体底板部を挟み込むように装着し、螺合することにより固定する。
固定しない状態では、床部に沿って固定具を移動させることが出来、積載物に対して適切な位置で固定することが出来る。
【００１１】  また、車輛進行方向に対して横方向の力の防止の場合も前記と同様の固定方法であるが、横方向の力を防止する場合、積載物側壁面の垂直面に固定具本体部垂直板部を接触させなければならないため、コンテナの床部が延びる方向に対して固定部垂直板部の面が横を向く角度で設置することが好ましい。コンテナ床部の溝部に沿って挿入されたねじ締結部は、積載物側壁面に対して前後方向に移動させることが出来ないため、本体部底板部にＵ字状の切れ込みを設け、その範囲内において固定具本体部の前後方向の移動を可能とし、積載物を適切な位置で固定することが出来る。
【実施例】
【００１２】  以下、添付図面に従って一実施例を説明する。【００１３】  まず、添付図３により車輛進行方向前後に発生する力を防ぐための固定について説明する。【００１４】  コンテナ内に積載された積載物の垂直面に積載物固定具本体部１の垂直板部を接触するように設置する。ねじ締結具２〜６を底板部のＵ字状切れ込みに挿入する。この際、ねじ締結具のワッシャー５と雌ねじ部ナット付きプレート６の間に、固定具本体底板部とコンテナ床部７を挟むように装着する。【００１５】  ねじ締結部装着後、雄ネジ部材を締め付けることにより、雄ネジ部下部の押圧部と雌ねじ部プレートが押圧され積載物固定具本体部１を固定する。締め付けに使う道具は、バールのような棒状のものを雄ネジ部材２上部の把持部の中に通し締め付ける。【００１６】  車輌進行方向左右の横方向に発生する力を防ぐ固定について、図５により説明する。
この固定方法は前記前後方向の力を防ぐ方法と同様であるが、前記との相違は、固定具本体部１の垂直板部の面を積載物側壁面の垂直面に接触させる必要があることから、コンテナ床部が延びる車輛前後方向に対して横を向く角度をもって設置されることである。【００１７】  積載物固定具本体部１の垂直板部を積載物側壁面の垂直面に接触するように設置する。ただし、横方向の場合は、ねじ締結部２〜６を装着するコンテナ床部７、８の位置が積載物の大きさ形状により、必ずしも丁度良い位置にあるとは限らないため、固定具本体部底板部に形成されたねじ締結部を挿入するＵ字状の切れ込みに沿って固定具本体部を前後方向に移動させ位置を調整する。【００１８】  積載物側壁面の垂直面に固定具本体部を接触させるよう位置調整後、前記同様に装着されたねじ締結部を締め付けて固定する。
【符号の説明】
【００１９】  １  積載物固定具本体部
２  把持部付き雄ネジ部材
３  雄ネジ把持部押圧部
４  スプリングワッシャー
５  ワッシャー
６  雌ねじ部ナット付きプレート
７  コンテナ床部
８  コンテナ床溝部
９  積載物
【図１】
0003226782.tif 000003
【図２】
0003226782.tif 000004
【図３】
0003226782.tif 000005
【図４】
0003226782.tif 000006
【図５】
0003226782.tif 000007
【図６ａ】
0003226782.tif 000008
【図６ｂ】
0003226782.tif 000009
【図７ａ】
0003226782.tif 000010
【図７ｂ】
0003226782.tif 000011
【図８】
0003226782.tif 000012